(57)【要約】      （修正有）【課題】キーボードの誤打を抑制することができると共に、キーボードのキー間に埃などが入り込むという事態を防止することもできるキーボードの誤打抑制具を提供する。【解決手段】複数のキー１２〜２１間に隙間を有するキーボード１１の誤打を抑制する誤打抑制具１０であって、キーボード１１の複数のキー１２〜２１を夫々覆う複数のキーカバー部を有し、キー１２〜２１を覆ったままでキー１２〜２１を打つことが可能な柔軟素材で形成されたキーボード１１の上面を覆うカバー部２３と、前記キーカバー部間に設けられた誤打抑制用の突条部とを備えている。【選択図】図２
0003217493.tif 000002
【実用新案登録請求の範囲】
【請求項１】
複数のキー間に隙間を有するキーボードの誤打を抑制する誤打抑制具であって、
前記キーボードの前記複数のキーを夫々覆う複数のキーカバー部を有し、前記キーを覆ったままで前記キーを打つことが可能な柔軟素材で形成された前記キーボードの上面を覆うカバー部と、前記キーカバー部間に設けられた誤打抑制用の突条部とを備えていることを特徴とするキーボードの誤打抑制具。
【請求項２】
テンキー部に装着され、前記突条部は、平面井桁状に形成され、上端部が、前記キーカバー部の上側面から突出するように配設されていることを特徴とする請求項１記載のキーボードの誤打抑制具。
【請求項３】
前記突条部は、上端部が、長さ方向に波打った形状に形成されていることを特徴とする請求項２記載のキーボードの誤打抑制具。
【請求項４】
前記複数のキーカバー部は、互いに隣接する前記キーカバー部の高さが異なるように形成されていることを特徴とする請求項３記載のキーボードの誤打抑制具。
【請求項５】
前記複数のキーカバー部の上側面に小突起が夫々設けられていることを特徴とする請求項４記載のキーボードの誤打抑制具。
【請求項６】
前記複数のキーカバー部は、前記キーを打ったことを感知しうるタッチセンサーを夫々備えており、前記カバー部は、前記タッチセンサーと電気的に接続され、誤打が発生した場合に警告音を発しうるように構成されたコンピュータ本体に接続しうるＵＳＢケーブルを備えていることを特徴とする請求項１記載のキーボードの誤打抑制具。
【考案の詳細な説明】
【技術分野】
【０００１】
本考案は、キーボードの誤打抑制具に係り、特に、複数のキー間に隙間を有するキーボードの誤打抑制具に関するものである。
【背景技術】
【０００２】
従来より、キーボードの誤打をなくすことは、正しい文字や数字などを入力し、正確な仕事をこなすうえで、大変重要である。
【０００３】
特に、商業における発注作業においては、必要な商品を、素早く正確な個数で入力して発注しなければならないので、キーボードのテンキーを誤打して誤った個数を入力してしまった場合、大きな損失につながることも多々ある。
【０００４】
このキーボードの誤打の対策を考慮した従来技術としては、例えば、特許文献１に、キーボードを形成する複数のキー間に嵌め込み、キー間に障壁ができるようにした井桁状の物が開示されている。
【０００５】
しかしながら、この特許文献１に開示されたような従来技術では、キーボードのキー間に埃などが入り込むという事態を防止できないという不具合があった。
【先行技術文献】
【特許文献】
【０００６】
【特許文献１】実開平５−３３４２９号公報
【考案の概要】
【考案が解決しようとする課題】
【０００７】
本考案は、以上のような従来の不具合を解消するためのものであって、その課題は、キーボードの誤打を抑制することができると共に、キーボードのキー間に埃などが入り込むという事態を防止することもできるキーボードの誤打抑制具を提供することにある。
【課題を解決するための手段】
【０００８】
前記課題を解決するために、請求項１記載の考案にあっては、複数のキー間に隙間を有するキーボードの誤打を抑制する誤打抑制具であって、前記キーボードの前記複数のキーを夫々覆う複数のキーカバー部を有し、前記キーを覆ったままで前記キーを打つことが可能な柔軟素材で形成された前記キーボードの上面を覆うカバー部と、前記キーカバー部間に設けられた誤打抑制用の突条部とを備えていることを特徴とする。
【０００９】
従って、請求項１記載の考案にあっては、キーボードに設置した際、前記キーカバー部が覆う複数のキー間に前記突条部が配置される。また、前記カバー部でキーボードの複数のキー間も覆われる。
【００１０】
請求項２記載の考案にあっては、テンキー部に装着され、前記突条部は、平面井桁状に形成され、上端部が、前記キーカバー部の上側面から突出するように配設されていることを特徴とする。
【００１１】
従って、請求項２記載の考案にあっては、打つべくキーを打った後に、指先が滑ってしまっても、前記突条部に確実に当たる。
【００１２】
請求項３記載の考案にあっては、前記突条部は、上端部が、長さ方向に波打った形状に形成されていることを特徴とする。
【００１３】
従って、請求項３記載の考案にあっては、打つべくキーを打った後に、前記突条部を乗り越えて指先が滑ってしまったような場合などは、指先に前記突条部の波打った形状の上端部に触れた際に違和感を覚える。
【００１４】
請求項４記載の考案にあっては、前記複数のキーカバー部は、互いに隣接する前記キーカバー部の高さが異なるように形成されていることを特徴とする。
【００１５】
従って、請求項４記載の考案にあっては、打つべくキーを打った後に、前記突条部を乗り越えて指先が滑ってしまった場合などは、打つべくキーを覆う前記キーカバー部と隣接するキーを覆う前記キーカバー部の高さの違いに違和感を覚える。
【００１６】
請求項５記載の考案にあっては、前記複数のキーカバー部の上側面に小突起が夫々設けられていることを特徴とする。
【００１７】
従って、請求項５記載の考案にあっては、打つべくキーを打つと、前記小突起により、身体に良い影響を与える指先のツボが刺激される。
【００１８】
請求項６記載の考案にあっては、前記複数のキーカバー部は、前記キーを打ったことを感知しうるタッチセンサーを夫々備えており、前記カバー部は、前記タッチセンサーと電気的に接続され、誤打が発生した場合に警告音を発しうるように構成されたコンピュータに接続しうるＵＳＢケーブルを備えていることを特徴とする。
【００１９】
従って、請求項６記載の考案にあっては、前記ＵＳＢケーブルを前記構成のパーソナルコンピュータのＵＳＢコネクタ部に接続すれば、パーソナルコンピュータ内の記憶部に組み込んだ制御プログラムにより、例えば、発注作業を行うにあたり、テンキーで、間違って、打つべくキーを二度打ちしたり、隣接するキーまで打ってしまったりして、二桁或いはそれ以上の数字になった場合など、パーソナルコンピュータのスピーカーから警告音を出し、注意喚起することができる。
【考案の効果】
【００２０】
請求項１記載のキーボードの誤打抑制具にあっては、前記突条部により、指先が滑り難くし、キーボードの誤打を抑制することができると共に、前記カバー部により、キーボードのキー間に埃などが入り込むという事態を防止することもできる。
【００２１】
請求項２記載のキーボードの誤打抑制具にあっては、打つべくキーを打った後に、指先が滑ってしまっても、前記突条部に確実に当たるので、隣接するキーを誤打してしまうことを未然に抑制することができる。
【００２２】
請求項３記載のキーボードの誤打抑制具にあっては、打つべくキーを打った後に、前記突条部を乗り越えて指先が滑ってしまったような場合などは、指先に前記突条部の波打った形状の上端部に触れた際に違和感を覚えるので、隣接するキーを誤打してしまうことを未然に抑制することができる。
【００２３】
請求項４記載のキーボードの誤打抑制具にあっては、打つべくキーを打った後に、前記突条部を乗り越えて指先が滑ってしまった場合などは、打つべくキーを覆う前記キーカバー部と隣接するキーを覆う前記キーカバー部の高さの違いに違和感を覚えるので、隣接するキーを誤打してしまうことを未然に抑制することができる。
【００２４】
請求項５記載のキーボードの誤打抑制具にあっては、打つべくキーを打つと、前記小突起により、身体に良い影響を与える指先のツボが刺激されるので、身体に良い影響を与えながら、キーボードを打つ作業を行うことができる。
【００２５】
請求項６記載のキーボードの誤打抑制具にあっては、前記ＵＳＢケーブルを前記構成のパーソナルコンピュータのＵＳＢコネクタ部に接続すれば、パーソナルコンピュータ内の記憶部に組み込んだ制御プログラムにより、例えば、発注作業を行うにあたり、テンキーで、間違って、打つべくキーを二度打ちしたり、隣接するキーまで打ってしまったりして、二桁或いはそれ以上の数字になった場合など、パーソナルコンピュータのスピーカーから警告音を出し、注意喚起することができるので、誤打していない場合も含め、誤打が発生したとみなされる操作については、発注作業を行う者に確認を促し、誤打を抑制することができ、誤打した場合における損失を適切に防ぐことができる。
【図面の簡単な説明】
【００２６】
【図１】図１は、本考案に係るキーボードの誤打抑制具の第１実施形態のキーボードの誤打抑制具とキーボードを示す斜視図である。
【図２】図２は、本考案に係るキーボードの誤打抑制具の第１実施形態において、キーボードにキーボードの誤打抑制具を装着した状態を示す斜視図である。
【図３】図３は、図２におけるII−II線矢視断面図である。
【図４】図４は、本考案に係るキーボードの誤打抑制具の第２実施形態を示す斜視図である。
【図５】図５は、本考案に係るキーボードの誤打抑制具の第２実施形態において、キーボードにキーボードの誤打抑制具を装着した状態を示す斜視図である。
【考案を実施するための形態】
【００２７】
以下、本考案に係るキーボードの誤打抑制具を、第１実施形態及び第２実施形態に基づき、図面を参照して説明する。
【００２８】
（第１実施形態）
先ず、第１実施形態の構成について説明する。
図１〜図３は、本考案に係る第１実施形態のキーボードの誤打抑制具１０を説明するための図である。
【００２９】
この第１実施形態のキーボードの誤打抑制具１０は、図１〜図３に示すように、テンキー部３１を構成する複数のキー１２〜２１間に隙間を有するキーボード１１の誤打を抑制する誤打抑制具であり、図１に示すように、キーボード１１の上側から被せて、図２に示すように上側面を覆うように装着されて使用されるものである。
【００３０】
そして、このキーボードの誤打抑制具１０は、キーボード１１の複数のキー１２〜２１を夫々覆う複数のキーカバー部２２，・・・を有し、キー１２〜２１を覆ったままでキー１２〜２１を打つことが可能なシリコンなどの柔軟素材で形成されたキーボード１１の上面を覆うカバー部２３と、キーカバー部２２，・・・間に設けられた誤打抑制用の突条部２４とを備えている。
【００３１】
キーカバー部２２，・・・は、キーボード１１のテンキー部３１を構成するキー１２〜２１を全体として被覆可能に形成され、図３に示すように、各キーカバー部２２は、キー１２〜２１を夫々内部に収納しうるように、下部が開放された略立法体箱状（キー１２に対応するキーカバー部２２のみ略直方体箱状）に形成されている。
【００３２】
なお、カバー部２３は、シリコンなどの柔軟素材により形成され、テンキー１２〜２１の数字が透けて見えるように略透明に構成されている。
【００３３】
具体的には、図３に示すように、突条部２４は、平面井桁状に形成され、上端部２４ａが、キーカバー部２２，・・・の上側面から突出するように配設されており、キー１２〜２１を覆うキーカバー部２２，・・・の周囲のみに設けられている。また、キーカバー部２２，・・・と突条部２４の下端部との間は、繋ぎ部２５で夫々繋がっている。
【００３４】
また、突条部２４は、図３に示すように、上端部２４ａが、長さ方向に波打った形状に形成されている。
【００３５】
さらに、キー１２〜２１を覆う複数のキーカバー部２２，・・・は、互いに隣接するキーカバー部２２，２２の高さがキーカバー部２２の上面部の厚さ寸法の違いにより０．５ｍｍ程度異なるように形成されている。
【００３６】
また、キー１２〜２１を覆う複数のキーカバー部２２，・・・の上側面には、小突起２６が夫々設けられている。
【００３７】
なお、キーボード１１は、図示省略のパーソナルコンピュータ本体とケーブルを介して接続されており、図示省略のマウスも、パーソナルコンピュータ本体とケーブルを介して接続されている。また、図示省略のモニタも、パーソナルコンピュータ本体とケーブルを介して接続されている。
【００３８】
次に、この第１実施形態の作用効果について説明する。
【００３９】
この本考案の第１実施形態のキーボードの誤打抑制具１０は、図１〜図３に示すように、上記した構成なので、隣接するキーカバー部２２，２２，・・・間に配設された突条部２４により、指先が滑り、自分が意図するキー１２〜２１とは異なるキー１２〜２１を打ってしまう事態を回避し易く、キーボード１１の誤打を抑制することができる。また、カバー部２３により、キーボード１１のキー１２〜２１間に埃などが入り込むという事態を防止することもできる。
【００４０】
特に、このキーボードの誤打抑制具１０は、商品の発注作業に向いたものであり、マウスで、モニタに表示された発注すべき商品をクリックして指定し、その個数を、テンキー１２〜２１を打ち入力する際に、誤打を抑制することができる。なお、エンターキー３２で発注登録が行え、デリートキー３３で発注取消が行える。
【００４１】
これにより、場合によっては、日に何回も、決められた時間内に発注作業を終えなければならず、誤打してしまうと、大きな損失を出してしまうかもしれないという厳しい立場にある発注作業者の非常に大きな精神的負担を軽減することができる。
【００４２】
また、キー１２〜２１のうち、打つべくキーを打った後に、指先が滑ってしまった場合であっても、突条部２４に確実に当たるので、隣接するキーを誤打してしまうことを未然に抑制することができる。
【００４３】
さらに、キー１２〜２１のうち、打つべくキーを打った後に、突条部２４を乗り越えて指先が滑ってしまったような場合などは、指先に突条部２４の波打った形状の上端部２４ａに触れた際に違和感を覚えるので、隣接するキーを誤打してしまうことを未然に抑制することができる。
【００４４】
また、キー１２〜２１のうち、打つべくキーを打った後に、突条部２４を乗り越えて指先が滑ってしまった場合などは、打つべくキーを覆うキーカバー部２２と隣接するキーを覆うキーカバー部２２，２２の高さの違いに違和感を覚えるので、隣接するキーを誤打してしまうことを未然に抑制することができる。
【００４５】
さらに、発注作業中などに、キー１２〜２１のうち、打つべくキーを打つと、小突起２６により、身体に良い影響を与える指先のツボが刺激されるので、身体に良い影響を与えながら、キーボード１１を打つ作業を行うことができる。
【００４６】
（第２実施形態）
次に、第２実施形態について説明する。
【００４７】
なお、第１実施形態で説明した内容と同一乃至均等な部分の説明については同一符号を付して説明する。
【００４８】
図４及び図５は、本考案に係る第２実施形態のキーボードの誤打抑制具３０を説明するための図である。
【００４９】
この第２実施形態のキーボードの誤打抑制具３０では、図４及び図５に示すように、キー１２〜２１を覆うキーカバー部２２，・・・は、テンキー１２〜２１を打ったことを感知しうるタッチセンサー２７が夫々埋め込まれており、カバー部２３は、タッチセンサー２７，・・・と図示省略の配線により電気的に接続されたＵＳＢケーブル２８を備えている。
【００５０】
そして、図示省略のパーソナルコンピュータ本体のＵＳＢコネクタへＵＳＢケーブル２８のＵＳＢ端子２８ａを差し込み接続すると、パーソナルコンピュータ本体内の図示省略の記憶部にインストールして組み込んだ制御プログラムにより、例えば、発注作業を行うにあたり、キー１２〜２１で、間違って、打つべくキーを二度打ちしたり、隣接するキーまで打ってしまったりして、二桁或いはそれ以上の数字になった場合など、パーソナルコンピュータ本体の図示省略のスピーカーから警告音を出しうる構成とされている。
【００５１】
従って、警告音により、注意喚起することができるので、誤打していない場合も含め、誤打が発生したとみなされる操作については、発注作業を行う者に確認を促し、誤打を抑制することができ、誤打した場合における損失を適切に防ぐことができる。
【００５２】
また、発注作業時には、直接の作業には機能しないように設定されたプラスキー３４を覆うキーカバー部２２にも、タッチセンサー２９が埋め込まれており、図示省略の配線によりＵＳＢケーブル２８に電気的に接続されている。
【００５３】
そして、パーソナルコンピュータ本体内の図示省略の記憶部には、音楽再生プログラムもインストールして組み込まれており、プラスキー３４を打つと、例えば、演歌や民謡などの好みの音楽が、図示省略のスピーカーから流れるようになっている。
【００５４】
従って、発注作業者は、好みの音楽を聞きながら、心を癒しつつ、発注作業を行うこともできる。
【００５５】
なお、他の構成及び作用効果については、第１実施形態と略同様であるので説明を省略する。
【００５６】
以上、本考案に係るキーボードの誤打抑制具の実施形態について図面を参照して詳述してきたが、具体的な構成は、これら第１実施形態及び第２実施形態に限らず、本考案の要旨を逸脱しない程度の設計的変更は、本考案に含まれる。
【００５７】
例えば、上記した第１実施形態及び第２実施形態では、キーボードの誤打抑制具１０，３０を、テンキー部３１を構成するキー１２〜２１のみに適用したが、これに限定されず、例えば、キーボード１１が汎用のものである場合は、文字入力のキーなどにも適用して、文字打ちの誤打も抑制できるようにして実施してもよい。
【００５８】
また、上記した第２実施形態では、二度打ちすると警告音を発するようにしたが、二度打ち対応の発注専用プログラムは既に存在するので、この機能は除いて実施してもよい。
【００５９】
さらに、上記した第１実施形態及び第２実施形態では、突条部２４もシリコンなどの柔軟素材としたが、これに限定されず、突条部２４を、使用者の好みや使い易さに合わせて、別のより柔らかい素材やより硬い素材を用いて実施してもよい。
【産業上の利用可能性】
【００６０】
本考案に係るキーボードの誤打抑制具は、多くの人々が購入し、使用することができるので、産業上の利用可能性を有している。
【符号の説明】
【００６１】
１０    キーボードの誤打抑制具
１１    キーボード
１２    キー
１３    キー
１４    キー
１５    キー
１６    キー
１７    キー
１８    キー
１９    キー
２０    キー
２１    キー
２２    キーカバー部
２３    カバー部
２４    突条部
２４ａ  突条部の上端部
２５    繋ぎ部
２６    小突起
２７    タッチセンサー
２８    ＵＳＢケーブル
２８    ＵＳＢ端子
２９    タッチセンサー
３０    キーボードの誤打抑制具
３１    テンキー部
３２    エンターキー
３３    デリートキー
３４    プラスキー
【図１】
0003217493.tif 000003
【図２】
0003217493.tif 000004
【図３】
0003217493.tif 000005
【図４】
0003217493.tif 000006
【図５】
0003217493.tif 000007